【手続補正書】
【提出日】平成17年1月20日(2005.1.20)
【手続補正１】
【補正対象書類名】特許請求の範囲
【補正対象項目名】全文
【補正方法】変更
【補正の内容】
【特許請求の範囲】
【請求項１】
無線通信システムにおいて、複数の伝送チャンネル上で伝送するデータを準備する方法であって、各伝送チャンネルは、各変調記号系列を伝送するように動作し、
各伝送チャンネルが支援する１変調記号当りの情報ビット数を判断することと、
１変調記号当りの決められた数の情報ビットが支援されるように、各伝送チャンネルの変調方式を識別することと、
少なくとも、１変調記号当りの決められた数の情報ビットと、伝送チャンネルの識別された変調方式とに基づいて、各伝送チャンネルの符号化レートを判断して、少なくとも２本の伝送チャンネルを異なる符号化レートに関係付けることと、
特定の符号化方式にしたがって、複数の情報ビットを符号化して、複数の符号化されたビットを与えることと、
特定のパンクチャリング方式にしたがって、複数の符号化されたビットをパンクチャして、多数のパンクチャされていない符号化されたビットを、複数の伝送チャンネルに与えることと、
少なくとも２本の伝送チャンネルの符号化レートが異なるように、パンクチャリングを調節することとを含む方法。
【請求項２】
無線通信システムが、複数の送信アンテナと複数の受信アンテナとをもつ多重入力多重出力（multiple-input multiple-output, MIMO）システムである請求項１記載の方法。
【請求項３】
無線通信システムが、直交周波数分割変調（orthogonal frequency division modulation, OFDM）通信システムである請求項１記載の方法。
【請求項４】
ＯＦＤＭ通信システムが、複数の送信アンテナと複数の受信アンテナとをもつ多重入力多重出力（ＭＩＭＯ）システムとして動作する請求項３記載の方法。
【請求項５】
ＯＦＤＭシステムが複数の周波数サブチャンネル上でデータを伝送するように動作し、各伝送チャンネルがＯＦＤＭシステムにおける周波数サブチャンネルの空間サブチャンネルに対応する請求項４記載の方法。
【請求項６】
パンクチャリングが、複数の伝送チャンネルの伝送能力に基づく請求項１記載の方法。
【請求項７】
伝送能力が、複数の伝送チャンネルのために求められたチャンネル状態情報（channel state information, CSI）から判断される請求項６記載の方法。
【請求項８】
ＣＳＩが、複数の伝送チャンネルの信号対雑音比（signal-to-noise ratio, SNR）情報を含む請求項７記載の方法。
【請求項９】
ＣＳＩが、送信アンテナから受信アンテナへの伝送特徴に関係する情報を含む請求項７記載の方法。
【請求項１０】
ＣＳＩが、送信アンテナから受信アンテナへの伝送特徴に関係する固有モード情報を含む請求項７記載の方法。
【請求項１１】
ほぼ同等の伝送能力をもつ伝送チャンネルをセグメントにまとめて、
各セグメントごとにパンクチャリングを行なうことをさらに含む請求項６記載の方法。
【請求項１２】
符号化されたビットのグループを各セグメントに割り当てて、
各セグメントに割り当てられた符号化されたビットのグループに対して、パンクチャリングを行なうことをさらに含む請求項１１記載の方法。
【請求項１３】
各セグメントが、特定のＳＮＲの範囲内のＳＮＲをもつ伝送チャンネルを含む請求項１１記載の方法。
【請求項１４】
ターボ符号によって符号化を達成する請求項１記載の方法。
【請求項１５】
符号化により、複数の情報ビットに複数のテールおよびパリティビットを与え、複数のテールおよびパリティビットに対して、パンクチャリングを行なう請求項１４記載の方法。
【請求項１６】
パンクチャされていないテールおよびパリティビットが、複数の情報ビット上にほぼ均等に分散するように、パンクチャリングを行なう請求項１４記載の方法。
【請求項１７】
ターボ符号が、テールおよびパリティビットの２本のストリームを与えるように動作する２つの成分符号を含み、テールおよびパリティビットの２本のストリームから、ほぼ同数のテールおよびパリティビットが削除されるように、パンクチャリングを行なう請求項１４記載の方法。
【請求項１８】
ｎを、伝送チャンネルが支援する１変調記号当りの情報ビット数として、各伝送チャンネルの符号化レートを、ｎ／（ｎ＋１）以上、ｎ／（ｎ＋２）以下になるように選択する請求項１記載の方法。
【請求項１９】
各伝送チャンネルの符号化レートが、１／２以上である請求項１記載の方法。
【請求項２０】
畳込み符号によって符号化を達成する請求項１記載の方法。
【請求項２１】
ブロック符号によって符号化を達成する請求項１記載の方法。
【請求項２２】
複数の伝送チャンネルにおいて、使用可能であるが、埋められていないビット位置を埋めるように、パディングビットを挿入することをさらに含む請求項１記載の方法。
【請求項２３】
複数の伝送チャンネルにおいて、使用可能であるが、埋められていないビット位置を埋めるように、符号化されたビットの少なくともいくつかを反復することをさらに含む請求項１記載の方法。
【請求項２４】
複数の符号化されたビットをインターリーブすることをさらに含む請求項１記載の方法。
【請求項２５】
インターリーブされた符号化されたビットに対して、パンクチャリングを行なう請求項２４記載の方法。
【請求項２６】
２つの成分符号を含むターボ符号によって符号化を達成し、複数の情報ビット、第１の成分符号からの複数のテールおよびパリティビット、並びに第２の成分符号からの複数のテールおよびパリティビットを、別々にインターリーブする請求項２４記載の方法。
【請求項２７】
複数の伝送チャンネルのために、各々が、パンクチャされていない符号化されたビットのグループを含む非二値記号を形成することと、
各非二値記号を各変調記号へマップすることとをさらに含む請求項１記載の方法。
【請求項２８】
複数の符号化されたビットをインターリーブして、
インターリーブされた符号化されたビットから、非二値記号を形成することをさらに含む請求項２７記載の方法。
【請求項２９】
各伝送チャンネルの変調方式が、複数の点をもつ各信号配列と関係付けられ、各変調記号が、変調方式に対する信号配列内の特定の点を表わす請求項２７記載の方法。
【請求項３０】
各信号配列内の複数の点が、特定のグレイマッピング方式に基づく値を割り当てられる請求項２９記載の方法。
【請求項３１】
信号配列内の隣り合う点の値が１ビット位置ずつ異なるように、各信号配列内の複数の点に値を割り当てる請求項３０記載の方法。
【請求項３２】
１変調記号当りの情報ビット数の判断と、変調方式の識別と、符号化レートの判断とを反復することによって、複数の伝送チャンネルの変化に適応させることをさらに含む請求項１記載の方法。
【請求項３３】
各伝送チャンネルの変調方式が、１変調記号当りに２つ以上の符号化されたビットの伝送を支援する請求項１記載の方法。
【請求項３４】
複数の伝送チャンネル上の伝送が、単一の宛先受信装置を意図している請求項１記載の方法。
【請求項３５】
直交周波数分割変調（ＯＦＤＭ）通信システムにおいて、複数の伝送チャンネル上で伝送するデータを準備する方法であって、各伝送チャンネルが、各変調記号系列を伝送するように動作し、
各伝送チャンネルが支援する１変調記号当りの情報ビット数を判断することと、
１変調記号当りの決められた数の情報ビットが支援されるように、各伝送チャンネルの変調方式を識別することと、
少なくとも、１変調記号当りの決められた数の情報ビットと、伝送チャンネルの識別された変調方式とに基づいて、各伝送チャンネルの符号化レートを判断し、少なくとも２本の伝送チャンネルを異なる符号化レートに関係付けることと、
特定のターボ符号にしたがって、複数の情報ビットを符号化して、複数のテールおよびパリティビットを与えることと、
特定のインターリービング方式にしたがって、複数の情報、テール、およびパリティビットをインターリーブすることと、
特定のパンクチャリング方式にしたがって、複数のインターリーブされたビットをパンクチャして、多数のパンクチャされていない符号化されたビットを、複数の伝送チャンネルに与え、少なくとも２本の伝送チャンネルの符号化レートが異なるように、パンクチャリングを調節することと、
複数の伝送チャンネルのために、各々が、パンクチャされていない符号化されたビットのグループを含む非二値記号を形成することと、
各非二値記号を各変調記号へマップすることとを含む方法。
【請求項３６】
複数の伝送チャンネル上でデータを伝送するように動作する無線通信システムであって、各伝送チャンネルを使用して、各変調記号系列を伝送し、
特定の符号化方式にしたがって複数の情報ビットを符号化して、複数の符号化されたビットを与え、かつ特定のパンクチャリング方式にしたがって複数の符号化されたビットをパンクチャして、多数のパンクチャされていない符号化されたビットを複数の伝送チャンネルに与えるように構成されている符号器を含み、各伝送チャンネルが、伝送チャンネルのために選択された特定の変調方式によって、１変調記号当りに特定数の情報ビットを伝送することができ、さらに加えて、各伝送チャンネルが、少なくとも、伝送チャンネルおよびその変調方式が支援する１変調記号当りの情報ビット数に基づく特定の符号化レートに関係付けられていて、少なくとも２本の伝送チャンネルが、異なる符号化レートに関係付けられていて、かつ符号器が、少なくとも２本の伝送チャンネルの符号化レートが異なるように、パンクチャリングを調節するようにも構成されている無線通信システム。
【請求項３７】
符号器に接続され、かつ複数の符号化されたビットをインターリーブするように構成されているチャンネルインターリーバをさらに含み、
符号器が、インターリーブされたビットをパンクチャするように構成されている請求項３６記載のシステム。
【請求項３８】
チャンネルインターリーバに接続され、かつ複数の伝送チャンネルの非二値記号を形成し、かつパンクチャされていない符号化されたビットのグループを含む各非二値記号を、各変調記号へマップする記号マッピング素子をさらに含む請求項３７記載のシステム。
【請求項３９】
記号マッピング素子に接続され、かつ複数の伝送チャンネルの変調記号を事前調整して、多重入力多重出力（ＭＩＭＯ）伝送を実行するように構成されている信号プロセッサをさらに含む請求項３８記載のシステム。
【請求項４０】
複数の伝送チャンネル上で伝送するデータを準備するように構成された通信システムであって、各伝送チャンネルが、各変調記号系列を伝送するように動作し、
各伝送チャンネルが支援する１変調記号当りの情報ビット数を判断する手段と、
１変調記号当りの決められた数の情報ビットが支援されるように、各伝送チャンネルの変調方式を識別する手段と、
少なくとも、１変調記号当りの決められた数の情報ビットと、伝送チャンネルの識別された変調方式とに基づいて、各伝送チャンネルの符号化レートを判断し、少なくとも２本の伝送チャンネルを異なる符号化レートに関係付ける手段と、
特定の符号化方式にしたがって、複数の情報ビットを符号化して、複数の符号化されたビットを与える手段と、
特定のパンクチャリング方式にしたがって複数の符号化されたビットをパンクチャして、多数のパンクチャされていない符号化されたビットを、複数の伝送チャンネルに与える手段と、
少なくとも２本の伝送チャンネルの符号化レートが異なるように、パンクチャリングを調節する手段とを含む通信システム。
【請求項４１】
無線通信システムが、複数の送信アンテナと複数の受信アンテナとをもつ多重入力多重出力（ＭＩＭＯ）システムを含む請求項４０記載のシステム。
【請求項４２】
無線通信システムが、直交周波数分割変調（ＯＦＤＭ）通信システムを含む請求項４０記載のシステム。
【請求項４３】
ＯＦＤＭ通信システムが、複数の送信アンテナと複数の受信アンテナとをもつ多重入力多重出力（ＭＩＭＯ）システムとして動作する請求項４２記載のシステム。
【請求項４４】
ＯＦＤＭシステムが複数の周波数サブチャンネル上でデータを伝送するように動作し、各伝送チャンネルがＯＦＤＭシステムにおける周波数サブチャンネルの空間サブチャンネルに対応する請求項４３記載のシステム。
【請求項４５】
パンクチャリング手段が、複数の伝送チャンネルの伝送能力に基づく請求項４０記載のシステム。
【請求項４６】
伝送能力が、複数の伝送チャンネルのために求められたチャンネル状態情報（ＣＳＩ）から判断される請求項４５記載のシステム。
【請求項４７】
ＣＳＩが、複数の伝送チャンネルの信号対雑音比（ＳＮＲ）情報を含む請求項４６記載のシステム。
【請求項４８】
ＣＳＩが、送信アンテナから受信アンテナへの伝送特徴に関係する情報を含む請求項４６記載のシステム。
【請求項４９】
ＣＳＩが、送信アンテナから受信アンテナへの伝送特徴に関係する固有モード情報を含む請求項４６記載のシステム。
【請求項５０】
ほぼ同等の伝送能力をもつ伝送チャンネルをセグメントにまとめる手段をさらに含み、各セグメントごとにパンクチャリングを行なう請求項４５記載のシステム。
【請求項５１】
符号化されたビットのグループを各セグメントに割り当てる手段をさらに含み、各セグメントに割り当てられた符号化されたビットのグループに対して、パンクチャリングを行なう請求項５０記載のシステム。
【請求項５２】
各セグメントが、特定のＳＮＲの範囲内の信号対雑音比をもつ伝送チャンネルを含む請求項５０記載のシステム。
【請求項５３】
符号化手段が、ターボ符号を行なうように構成されている請求項４０記載のシステム。
【請求項５４】
符号化手段が、複数のテールおよびパリティビットを複数の情報ビットに与えるように構成されていて、パンクチャリング手段が、複数のテールおよびパリティビットに対して働くように構成されている請求項５３記載のシステム。
【請求項５５】
パンクチャリング手段が、パンクチャされていないテールおよびパリティビットが、複数の情報ビット上でほぼ均等に分散されるように構成されている請求項５３記載のシステム。
【請求項５６】
ターボ符号が、テールおよびパリティビットの２本のストリームを与えるように動作する２つの成分符号を含み、パンクチャリング手段が、テールおよびパリティビットの２本のストリームから、ほぼ同数のテールおよびパリティビットを削除するように構成されている請求項５３記載のシステム。
【請求項５７】
ｎを、伝送チャンネルが支援する１変調記号当りの情報ビット数として、各伝送チャンネルの符号化レートを、ｎ／（ｎ＋１）以上、ｎ／（ｎ＋２）以下になるように選択する請求項４０記載のシステム。
【請求項５８】
各伝送チャンネルの符号化レートが、少なくとも１／２である請求項４０記載のシステム。
【請求項５９】
符号化手段が、畳込み符号およびブロック符号の一方を行なうように構成されている請求項４０記載のシステム。
【請求項６０】
複数の伝送チャンネルにおいて、使用可能であるが、埋められていないビット位置を埋めるようにパディングビットを挿入する手段をさらに含む請求項４０記載のシステム。
【請求項６１】
複数の伝送チャンネルにおいて、埋められていないビット位置を埋めるように、符号化されたビットの少なくともいくつかを反復する手段をさらに含む請求項４０記載のシステム。
【請求項６２】
複数の符号化されたビットをインターリーブする手段をさらに含む請求項４０記載のシステム。
【請求項６３】
パンクチャリング手段が、インターリーブされた符号化されたビットに対して働くように構成されている請求項６２記載のシステム。
【請求項６４】
符号化手段が、２つの成分符号を含むターボ符号を行なうように構成され、複数の情報ビット、第１の成分符号からの複数のテールおよびパリティビット、並びに第２の成分符号からの複数のテールおよびパリティビットを、別々にインターリーブする請求項６３記載のシステム。
【請求項６５】
複数の伝送チャンネルのために、各々が、パンクチャされていない符号化されたビットのグループを含む非二値記号を形成する手段と、
各非二値記号を各変調記号へマップする手段とをさらに含む請求項４０記載のシステム。
【請求項６６】
複数の符号化されたビットをインターリーブする手段をさらに含み、インターリーブされた符号化されたビットから、非二値記号を形成する請求項６５記載のシステム。
【請求項６７】
各伝送チャンネルの変調方式が、複数の点をもつ各信号配列と関係付けられ、各変調記号が、変調方式に対する信号配列内の特定の点を表わす請求項６５記載のシステム。
【請求項６８】
各信号配列内の複数の点が、グレイマッピング方式に基づく値を割り当てられる請求項６７記載のシステム。
【請求項６９】
信号配列内の隣り合う点の値が、１ビット位置ずつ異なるように、各信号配列内の複数の点に値を割り当てる請求項６８記載のシステム。
【請求項７０】
１変調記号当りの情報ビット数の判断と、変調方式の識別と、符号化レートの判断とを反復することによって、複数の伝送チャンネルの変化に適応させる手段をさらに含む請求項４０記載のシステム。
【請求項７１】
複数の伝送チャンネル上で伝送するデータを準備するように構成された通信システムであって、各伝送チャンネルが、各変調記号系列を伝送するように動作し、
各伝送チャンネルが支援する１変調記号当りの情報ビット数を判断する手段と、
１変調記号当りの決められた数の情報ビットが支援されるように、各伝送チャンネルの変調方式を識別する手段と、
少なくとも、１変調記号当りの決められた数の情報ビットと、伝送チャンネルの識別された変調方式とに基づいて、各伝送チャンネルの符号化レートを判断し、少なくとも２本の伝送チャンネルを異なる符号化レートに関係付ける手段と、
特定のターボ符号にしたがって、複数の情報ビットを符号化して、複数のテールおよびパリティビットを与える手段と、
特定のインターリービング方式にしたがって、複数の情報、テール、およびパリティビットをインターリーブする手段と、
特定のパンクチャリング方式にしたがって、複数のインターリーブされたビットをパンクチャして、多数のパンクチャされていない符号化されたビットを、複数の伝送チャンネルに与え、少なくとも２本の伝送チャンネルの伝送レートが異なるように、パンクチャリングを調節する手段と、
複数の伝送チャンネルのために、各々が、パンクチャされていない符号化されたビットのグループを含む非二値記号を形成する手段と、
各非二値記号を各変調記号へマップする手段とを含む通信システム。
【請求項７２】
プロセッサおよびメモリを含む通信システムであって、メモリが、プロセッサによって実行可能な命令を取入れて、
各伝送チャンネルが支援する１変調記号当りの情報ビット数を判断し、
１変調記号当りの決められた数の情報ビットが支援されるように、各伝送チャンネルの変調方式を識別し、
少なくとも、１変調記号当りの決められた数の情報ビットと、伝送チャンネルの識別された変調方式とに基づいて、各伝送チャンネルの符号化レートを判断し、少なくとも２本の伝送チャンネルを異なる符号化レートに関係付け、
特定の符号化方式にしたがって、複数の情報ビットを符号化して、複数の符号化されたビットを与え、
特定のパンクチャリング方式にしたがって、複数の符号化されたビットをパンクチャし、多数のパンクチャされていない符号化されたビットを、複数の伝送チャンネルに与え、および、
少なくとも２本の伝送チャンネルの符号化レートが異なるように、パンクチャリングを調節する通信システム。
【請求項７３】
プロセッサおよびメモリを含む通信システムであって、メモリが、プロセッサによって実行可能な命令を取入れて、
各伝送チャンネルが支援する１変調記号当りの情報ビット数を判断し、
１変調記号当りの決められた数の情報ビットを支援するように、各伝送チャンネルの変調方式を識別し、
少なくとも、１変調記号当りの決められた数の情報ビットと、伝送チャンネルの識別された変調方式とに基づいて、各伝送チャネルの符号化レートを判断し、少なくとも２本の伝送チャンネルを異なる符号化レートに関係付け、
特定のターボ符号にしたがって、複数の情報ビットを符号化して、複数のテールおよびパリティビットを与え、
特定のインターリービング方式にしたがって、複数の情報、テール、およびパリティビットをインターリーブし、
特定のパンクチャリング方式にしたがって、複数のインターリーブされたビットをパンクチャし、多数のパンクチャされていない符号化されたビットを、複数の伝送チャンネルに与え、少なくとも２本の伝送チャンネルの符号化レートが異なるように、パンクチャリングを調節し、
複数の伝送チャンネルのために、各々が、パンクチャされていない符号化されたビットのグループを含む非二値記号を形成し、および、
各非二値記号を各変調記号にマップする通信システム。